(57)【要約】      （修正有）【課題】スケジュールと出費の両方の管理を効率良く容易に行うことができる手帳を提供する。【解決手段】１カ月分の日付毎のスケジュールを記入するためのスケジュール記入欄を有するスケジュール記入用紙１５と、１カ月分の日付毎の出費を記入するための出費記入欄３７，３８，３９を有する出費記入用紙１６とを備える手帳であって、スケジュール記入用紙１５と出費記入用紙１６との互いの上側辺部１５ａ，１６ａ同士を結合し、この結合部分を折目として出費記入用紙１６の上にスケジュール記入用紙１５を折り重ね可能とし、出費記入用紙１６の上にスケジュール記入用紙１５を折り重ねたとき、出費記入欄３７，３８，３９の上にスケジュール記入欄が日付毎に対応して重なるように配置するものとする。【選択図】図４
0003177424.tif 000002
【実用新案登録請求の範囲】
【請求項１】
所定期間分の日付毎のスケジュールを記入するためのスケジュール記入欄を有するスケジュール記入用紙と、所定期間分の日付毎の出費を記入するための出費記入欄を有する出費記入用紙とを備える手帳であって、
前記スケジュール記入用紙と前記出費記入用紙との互いの一側辺部同士を結合し、この結合部分を折目として前記出費記入用紙の上に前記スケジュール記入用紙を折り重ね可能とし、
前記出費記入用紙の上に前記スケジュール記入用紙を折り重ねたとき、前記出費記入欄の上に前記スケジュール記入欄が日付毎に対応して重なるようにそれら出費記入欄とスケジュール記入欄とを配置したことを特徴とする手帳。
【請求項２】
前記スケジュール記入用紙と前記出費記入用紙との、互いの上側辺部同士が結合される請求項１に記載の手帳。
【請求項３】
前記スケジュール記入用紙が半透明な用紙で構成され、この半透明なスケジュール記入用紙が前記出費記入用紙の上に折り重なった状態で前記出費記入欄に記載の事項が可読である請求項１または２に記載の手帳。
【請求項４】
前記スケジュール記入用紙と前記出費記入用紙とを有してなる記入用紙ユニットを複数備え、これら複数の記入用紙ユニットが折畳・展開可能に連設される請求項１〜３いずれか１項に記載の手帳。
【考案の詳細な説明】
【技術分野】
【０００１】
本考案は、スケジュールと出費の両方の記録・管理に用いられて好適な手帳に関するものである。
【背景技術】
【０００２】
スケジュールの記録・管理に供するものとして、例えば、見開きレフト式の手帳や、見開きセパレート式、バーティカル式、あるいは1日1ページ式の手帳などが用いられている。ここで、見開きレフト式の手帳とは、帳面を開いたとき、左側のページに所定期間のスケジュールを記入するスペースがあり、右側が罫線もしくは方眼ページになっているタイプのものである。また、見開きセパレート式の手帳とは、帳面を開いたとき、左ページから右ページにわたって所定期間のスケジュールを記入するスペースが設けられているタイプのものである（例えば、特許文献１参照）。また、バーティカル式の手帳とは、時間軸と呼ばれる、縦に時間ごとの目盛りが用意されたタイプものであり、1日1ページ式の手帳とは、1日あたり1ページの記入スペースが設けられたタイプのものである。
【先行技術文献】
【特許文献】
【０００３】
【特許文献１】特開２００９−１９０３５８号公報
【０００４】
一方、出費の記録・管理に供するものとして、例えば家計簿や小遣い帳などが広く一般に用いられている。
【０００５】
従来、スケジュール帳と家計簿とは別個のものであり、これらをまとめた手帳は存在しなかった。そのため、スケジュール帳は持ち歩き用として、また家計簿は自宅用として使用するか、スケジュール帳と家計簿の二つを持ち歩く必要があった。
【０００６】
しかしながら、家計簿を携帯しない場合、レシートのもらい忘れや紛失などにより、何に幾ら支払ったか、後で思い出せないということがある。また、スケジュール帳と家計簿の両方をバックに入れて持ち歩く場合には、その都度どちらかをバッグから選び出さなければならず、面倒である。
【考案の概要】
【考案が解決しようとする課題】
【０００７】
本考案は、上記事情に鑑みて成されたものであり、スケジュールと出費の両方の管理を効率良く容易に行うことができる手帳を提供することを目的とする。
【課題を解決するための手段】
【０００８】
前記目的を達成するために、本考案による手帳は、
所定期間分の日付毎のスケジュールを記入するためのスケジュール記入欄を有するスケジュール記入用紙と、所定期間分の日付毎の出費を記入するための出費記入欄を有する出費記入用紙とを備える手帳であって、
前記スケジュール記入用紙と前記出費記入用紙との互いの一側辺部同士を結合し、この結合部分を折目として前記出費記入用紙の上に前記スケジュール記入用紙を折り重ね可能とし、
前記出費記入用紙の上に前記スケジュール記入用紙を折り重ねたとき、前記出費記入欄の上に前記スケジュール記入欄が日付毎に対応して重なるようにそれら出費記入欄とスケジュール記入欄とを配置したことを特徴とするものである（第１考案）。
【０００９】
本考案において、前記スケジュール記入用紙と前記出費記入用紙との、互いの上側辺部同士が結合されることが好ましい（第２考案）。
【００１０】
本考案において、前記スケジュール記入用紙が半透明な用紙で構成され、この半透明なスケジュール記入用紙が前記出費記入用紙の上に折り重なった状態で前記出費記入欄に記載の事項が可読であるのが好ましい（第３考案）。
【００１１】
本考案において、前記スケジュール記入用紙と前記出費記入用紙とを有してなる記入用紙ユニットを複数備え、これら複数の記入用紙ユニットが折畳・展開可能に連設されるものとすることができる（第４考案）。
【考案の効果】
【００１２】
第１考案においては、スケジュール記入用紙と出費記入用紙との互いの一側辺部同士が結合され、この結合部分を折目として、出費記入用紙の上にスケジュール記入用紙が折り重ねられる。これにより、スケジュール記入欄の記載内容を確認することができるのは勿論のこと、スケジュール記入用紙を捲れば、出費記入欄の記載内容を確認することができる。
また、出費記入欄の上にスケジュール記入欄が日付毎に対応して重なるように出費記入欄とスケジュール記入欄とが配置されているので、いつ、どのような事で、どれだけの出費があったかを効率良く容易に確認することができる。
第１考案によれば、スケジュール帳と家計簿の両方を携帯することなく、一冊の手帳でスケジュールと出費の両方の管理を効率良く容易に行うことができる。
【００１３】
第２考案においては、スケジュール記入用紙と出費記入用紙との、互いの上側辺部同士が結合されるものとする。これにより、スケジュール記入用紙を上方に捲り、また捲ったスケジュール記入用紙を元に戻すだけで、スケジュール記入用紙と出費記入用紙とを互いに参照することが可能である。また、見開き二面分というコンパクトなスペースで、スケジュール、出費、メモという三面分の作業が行えるため、たとえ狭い空間でも参照、書き込み等の作業が可能である。
【００１４】
第３考案においては、スケジュール記入用紙が半透明な用紙で構成され、この半透明なスケジュール記入用紙が出費記入用紙の上に折り重なった状態で出費記入欄に記載の事項が可読であるものとされる。これにより、スケジュールの確認と同時に、その日の出費を確認することができる。
なお、スケジュールと同時にその日の出費をより明確に確認することができるようにしたい場合には、半透明用紙をより透けて見えるように透過度を上げるようにすればよい。一方、出費の有無は分かるもののその具体的な金額までは透けて見えない程度に半透明用紙の透過度を下げれば、出費の具体的な金額を周囲の人に知られるのを防ぐことができる。
【００１５】
第４考案においては、スケジュール記入用紙と出費記入用紙とからなる記入用紙ユニットを複数備えるものとされ、これら複数の記入用紙ユニットが折畳・展開可能に連設される。これにより、コンパクトに折り畳んで持ち運びに便利であるとともに、長期に亘るスケジュールと出費の記録が可能で、しかも使用時には展開して調べたい日付のスケジュールと出費を速やかに確認することができる。
【図面の簡単な説明】
【００１６】
【図１】本考案の一実施形態に係る手帳の折畳状態の全体斜視図
【図２】本実施形態の手帳の展開状態図で、表側から見た図（ａ）および裏側から見た図（ｂ）
【図３】１月分の記入用紙ユニットの平面図で、出費記入用紙の上にスケジュール記入用紙が折り重なった状態のＢ面部およびＢ'面部の状態図
【図４】図３におけるスケジュール記入用紙を上方に捲る途中の状態図
【図５】図３におけるスケジュール記入用紙を完全に捲った状態図
【図６】Ａ面部の印刷内容説明図（ａ）およびＡ´面部の印刷内容説明図（ｂ）
【考案を実施するための形態】
【００１７】
次に、本考案による手帳の具体的な実施の形態について、図面を参照しつつ説明する。
【００１８】
＜手帳の概略構成の説明＞
本実施形態の手帳１は、持ち運びの際には図１に示されるようにコンパクトに折り畳んで持ち運びに便利であるとともに、長期に亘るスケジュールと出費の記録が可能で、しかも使用時には図２（ａ）（ｂ）に示されるように展開して調べたい日付のスケジュールと出費を速やかに確認することができるように構成されている。
この手帳１は、図２（ａ）に示されるように、表側に、図中記号Ａ；Ｂ，Ｂ´；Ｃ，Ｃ´；Ｄ，Ｄ´；Ｅ，Ｅ´；Ｆ，Ｆ´；Ｇ，Ｇ'で示される１３面部を備えるとともに、同図（ｂ）に示されるように、裏側に、図中記号Ａ'；Ｈ，Ｈ´；Ｉ，Ｉ´；Ｊ，Ｊ´；Ｋ，Ｋ´；Ｌ，Ｌ´；Ｍ，Ｍ 'の１３面部を備え、互いに隣接する面部同士が折り線２ａ，２ｂ，２ｃ，２ｄ，２ｅ，２ｆ，２ｇ，２ｈ，２ｉ，２ｊ，２ｋ，２ｌを介して連設される構成とされている。
【００１９】
＜Ａ，Ａ´面部の説明＞
手帳１において、Ａ面部には、図６（ａ）に示されるように、上半期（１〜６月）分のカレンダーが印刷され、Ａ´面部には、同図（ｂ）に示されるように、下半期（７〜１２月）分のカレンダーが印刷されている。
【００２０】
＜記録用紙ユニットの説明＞
図２（ａ）において、Ｂ面部とＢ'面部とによって１月分の記録用紙ユニット３が構成されている。同様に、Ｃ面部とＣ'面部とによって２月分の記録用紙ユニット４が、Ｄ面部とＤ'面部とによって３月分の記録用紙ユニット５が、Ｅ面部とＥ'面部とによって４月分の記録用紙ユニット６が、Ｆ面部とＦ'面部とによって５月分の記録用紙ユニット７が、Ｇ面部とＧ'面部とによって６月分の記録用紙ユニット８が、をそれぞれ構成されている。
また、図２（ｂ）において、Ｈ面部とＨ'面部とによって７月分の記録用紙ユニット９が構成されている。同様に、Ｉ面部とＩ'面とによって８月分の記録用紙ユニット１０が、Ｊ面部とＪ'面部とによって９月分の記録用紙ユニット１１が、Ｋ面部とＫ'面部とによって１０月分の記録用紙ユニット１２が、Ｌ面部とＬ'面部とによって１１月の記録用紙ユニット１３が、Ｍ面部とＭ'面部とによって１２月分の記録用紙ユニット１４が、それぞれ構成されている。
手帳１においては、これら記入用紙ユニット３〜１４が蛇腹状に連設されて折畳・展開操作を容易に行うことができるようになっている。
【００２１】
上記の１〜１２月分の記入用紙ユニット３〜１４は、基本的に同じ構造のものである。したがって、以下においては、代表として、１月分の記入用紙ユニット３について詳述することとし、この１月分の記入用紙ユニット３の説明をもって、他の月の記入用紙ユニット４〜１４の説明を行ったものとすることとする。
【００２２】
図３には、１月分の記入用紙ユニットの平面図で、出費記入用紙の上にスケジュール記入用紙が折り重なった状態のＢ面部およびＢ'面部の状態図が示されている。また、図４には、図３におけるスケジュール記入用紙を上方に捲る途中の状態図が、図５には、スケジュール記入用紙を完全に捲った状態図が、それぞれ示されている。
【００２３】
１月分の記録用紙ユニット３は、メイン頁であるＢ面部を構成する二層の用紙、すなわちスケジュール記入用紙１５（図３参照）および出費記入用紙１６（図５参照）と、サブ頁であるＢ´面を構成するメモ記入用紙１７とを備えている。
【００２４】
＜スケジュール記入用紙＞
図３に示されるように、スケジュール記入用紙１５は、上側辺部１５ａ、下側辺部１５ｂ、左側辺部１５ｃおよび右側辺部１５ｄをそれぞれ有し、上下の側辺部１５ａ，１５ｂよりも左右の側辺部１５ｃ，１５ｄの方がやや長い長方形状を呈している。
スケジュール記入用紙１５の上部には、西暦（例えば、「２０１２年」）や、月の番号（本例では「１月」）等が記載された西暦・月番号記載部１８が設けられ、左側部には、月の英字表記（本例では「ＪＡＮ」）や日番号、曜日が記載された日付記載部が１９設けられている。
西暦・月番号記載部１８と日付記載部１９との間には、所要の縦罫線２０，２１，２２および横罫線２３，２４，２５によって１月分の日付毎のスケジュールを記入するためのスケジュール記入欄２６，２７が区画形成されている。ここで、スケジュール記入欄２６，２７において、スケジュール記入欄２６は、午前中の予定を記載する欄であり、スケジュール記入欄２７は、午後の予定を記載する欄である。
【００２５】
＜出費記入用紙の説明＞
図５に示されるように、出費記入用紙１６は、上側辺部１６ａ、下側辺部１６ｂ、左側辺部１６ｃおよび右側辺部１６ｄをそれぞれ有し、スケジュール記入用紙１５と同じ大きさの長方形状を呈している。
出費記入用紙１６の上部には、支払形態を示す「現金」、「カード１」および「カード２」の文字表記が記載された支払形態記載部２８が設けられ、左側部には、月の英字表記（本例では「ＪＡＮ」）や日番号、曜日が記載された日付記載部２９が設けられている。
支払形態記載部２８と日付記載部２９との間には、所要の縦罫線３０，３１，３２，３３および横罫線３４，３５，３６によって１月分の日付毎の出費を記入するための出費記入欄３７，３８，３９が区画形成されている（縦３０列×横３列（若しくは縦３１列×横３列））。ここで、出費記入欄３７，３８，３９において、出費記入欄３７は、現金での支払の場合の金額を記載する欄であり、出費記入欄３８，３９は、カード（カード１，２）での支払の場合の金額を記載する欄である。
このように、出費記入欄３７，３８，３９を三分割することで、現金、カード１、カード２での出費をそれぞれ記録することができる。このように分割したのは、出費が現金だけとは限らず、またカードを複数枚持ち歩くことが珍しくない昨今の事情を鑑みた結果である。これにより、月毎の出費が一目で把握することができる上、どのカードからどれだけ出費したかを把握することができるため、それぞれのカード支払日の合計金額の目安が立てやすいという利点がある。
【００２６】
＜メモ記入用紙の説明＞
図５に示されるように、メモ記入用紙１７は、上側辺部１７ａ、下側辺部１７ｂ、左側辺部１７ｃおよび右側辺部１７ｄをそれぞれ有し、出費記入用紙１６と同じ大きさの長方形状を呈している。このメモ記入用紙１７の左側辺部１７ｃと出費記入用紙１６の右側辺部１６ｄとは、一体的に結合されており、この結合部を折目として、互いに見開いたり、閉じたりすることができるようになっている。
このメモ記入用紙１７は、職場の定休日や、友人・家族の誕生日等、簡単なメモを記入する頁として利用することができる。
このメモ記入用紙１７には、メイン頁を構成するスケジュール記入用紙１５や出費記入用紙１６の日番号と一致する位置に、祝日の内容を示す文字表記が予め印刷されている。
【００２７】
＜スケジュール記入用紙と出費記入用紙の関係の説明＞
スケジュール記入用紙１５と出費記入用紙１６とは、互いの上側辺部１５ａ，１６ａ同士が糊付け等の固着手段で結合され、この結合部分を折目として出費記入用紙１６の上にスケジュール記入用紙１７が折り重ねられている。
ここで、出費記入用紙１６の上にスケジュール記入用紙１５を折り重ねたとき、出費記入欄３７，３８，３９の上にスケジュール記入欄２６，２７が日付毎に対応して重なるようにそれら出費記入欄３７，３８，３９とスケジュール記入欄２６，２７とが配置されている。
【００２８】
＜スケジュール記入用紙の透過度の説明＞
スケジュール記入用紙１５は、例えば硫酸紙やパラフィン紙、グラシン紙などからなる半透明な用紙で構成されており、この半透明なスケジュール記入用紙１５が出費記入用紙１６の上に折り重なった状態で出費記入欄３７，３８，３９に記載の事項を読み取ることができるようになっている。
なお、スケジュールと同時にその日の出費をより明確に確認することができるようにしたい場合には、スケジュール記入用紙１５をより透けて見えるように透過度を上げるようにすればよい。一方、出費の有無は分かるもののその具体的な金額までは透けて見えない程度にスケジュール記入用紙１５の透過度を下げれば、出費の具体的な金額を周囲の人に知られるのを防ぐことができる。
【００２９】
＜作用効果の説明＞
次に、以上に述べたように構成される手帳１の作用効果について、主に、図３〜図５を用いて以下に説明することとする。なお、以下の説明は、１月分の記録用紙ユニット３の操作による作用効果を代表例として挙げているが、その他の月の記録用紙ユニット４〜１４の操作による作用効果も同様である。
【００３０】
記録用紙ユニット３においては、図５に示されるように、スケジュール記入用紙１５と出費記入用紙１６との互いの上側辺部１５ａ，１６ａ同士が結合され、この結合部分を折目として、図４〜図３に示されるように、出費記入用紙１６の上にスケジュール記入用紙１５が折り重ねられる。これにより、スケジュール記入欄２６，２７の記載内容を確認することができるのは勿論のこと、図４〜図５に示されるように、スケジュール記入用紙１５を捲れば、出費記入欄３７，３８，３９の記載内容を確認することができる。なお、本実施形態では、スケジュール記入用紙１５が半透明な用紙で構成されているので、スケジュールの確認と同時に、その日の出費を確認することができる。
また、出費記入欄３７，３８，３９の上にスケジュール記入欄２６，２７が日付毎に対応して重なるように出費記入欄３７，３８，３９とスケジュール記入欄２６，２７とが配置されているので、いつ、どのような事で、どれだけの出費があったかを効率良く容易に確認することができる。
したがって、スケジュール帳と家計簿の両方を携帯することなく、一冊の手帳１でスケジュールと出費の両方の管理を効率良く容易に行うことができる。
なお、たとえ出費記入用紙１６の出費記入欄３７，３８，３９に出費を記入し忘れた場合でも、スケジュール記入用紙１５に記入されたその日のスケジュール内容を参照することで、何にどれだけ出費したかを思い出すことが容易である。
また、スケジュール記入用紙１５と出費記入用紙１６との互いの上側辺部１５ａ，１６ａ同士が結合されることによって、見開き二面分というコンパクトなスペースで、スケジュール、出費、メモという三面分の作業が行えるので、たとえ狭い空間でも参照、書き込み等の作業が可能である。
【００３１】
以上、本考案の手帳について、一実施形態に基づいて説明したが、本考案は上記実施形態に記載した構成に限定されるものではなく、その趣旨を逸脱しない範囲において適宜その構成を変更することができるものである。
【００３２】
例えば、上記実施形態では、スケジュール記入用紙１５と出費記入用紙１６との互いの上側辺部１５ａ，１６ａ同士を結合するようにしたが、下側辺部１５ｂ，１６ｂ同士、左側辺部１５ｃ，１６ｃ同士あるいは右側辺部１５ｄ，１６ｄ同士を結合する態様もあり得る。
また、上記実施形態では、記入用紙ユニット３〜１４が蛇腹状に連設された態様例を示したが、一般的な手帳のように、記入用紙ユニット３〜１４の一側辺を綴じて手帳を構成するようにしてもよい。
【産業上の利用可能性】
【００３３】
本考案の手帳は、スケジュールと出費の両方の管理の用途に好適に用いることができる。
【符号の説明】
【００３４】
１                手帳
３〜１４          記入用紙ユニット
１５              スケジュール記入用紙
１５ａ            上側辺部
１６              出費記入用紙
１６ａ            上側辺部
２６，２７        スケジュール記入欄
３７，３８，３９  出費記入欄
【図１】
0003177424.tif 000003
【図２】
0003177424.tif 000004
【図３】
0003177424.tif 000005
【図４】
0003177424.tif 000006
【図５】
0003177424.tif 000007
【図６】
0003177424.tif 000008